(57)【特許請求の範囲】
【請求項１】
複数の棚と最下段に低温室を配置した冷蔵室内を照射する照明装置として、可視光線領域内の波長を発光する発光ダイオードを複数個実装した実装基板を複数個接続したものを前記冷蔵室内の側壁面の少なくとも一方に配設したもので、前記実装基板のうち、発光ダイオードの実装数が少ない実装基板を上方向に角度を設けて配設し、他の発光ダイオードの実装数が多い実装基板を下方向に角度を設けて配設されたことを特徴とする冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図６は特許文献１に記載された従来の製氷機の照明装置の斜視図であり、図７は図６の照明装置を製氷機の庫内天面に設置した概念図を示すものである。
【０００５】
図６の照明装置３０において、実装基板１０１は平板状で、一面または両面に回路パターン（図示せず）が形成され、熱伝導性の良好なエポキシ樹脂系の基板や絶縁金属基板を使用する。白色ＬＥＤ１０２は砲弾状に形成され、ＧａＮ系の青色ＬＥＤからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図７において、照明装置３０は、製氷機３１の庫内の天面３２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、照明装置が冷蔵庫の庫内天井面に配置されると、冷蔵庫内に庫内を分割する収納棚がある場合、収納棚の下側の保存物の視認性は、収納棚そのものや収納棚上に置かれた保存物により影が発生することにより悪化する。これは、一般家庭用冷蔵庫のように、複数の収納棚を有する場合においては、収納棚が下段になるほど顕著となる。
【００１１】
本発明は、上記従来の課題を解決するもので、冷蔵庫内の保存物の上下位置関係に関わらず、保存物の視認性を向上させることを目的とした照明装置を有する冷蔵庫を提供することを目的とする。
【課題を解決するための手段】
【００１２】
上記従来の課題を解決するために、本発明の冷蔵庫は、冷蔵庫内を照射する照明装置として、可視光線領域内の波長を発光する発光ダイオードを複数個実装した実装基板を冷蔵庫内の側壁面の少なくとも一方に、冷蔵庫内の上下方向に対して角度を設けて配設したものである。
【００１３】
これによって冷蔵庫内の照明として、天井面に照明装置を配設した場合と比較して、保存物の側面から照射でき、上下方向に対して角度を設けて配設されているので、冷蔵庫内の上部および下部まで光を照射することができる。
【００１４】
また、本発明の冷蔵庫は、冷蔵庫内を照射する照明装置として、可視光線領域内の波長を発光する発光ダイオードを複数個実装した実装基板を複数個接続したものを前記冷蔵庫内の側壁面の少なくとも一方に配設したもので、前記実装基板のうち、少なくとも１つを冷蔵庫内の上下方向に対して角度を設けて配設配設したものである。
【００１５】
これによって冷蔵庫内の照明として、天井面に照明装置を配設した場合と比較して、保存物の側面から照射でき、上下方向に対して角度を設けて配設されているので、冷蔵庫内の上部および下部まで光を照射することができる。
【発明の効果】
【００１６】
本発明の冷蔵庫は、冷蔵庫の上部および下部の保存物の視認性を向上することができる。
【発明を実施するための最良の形態】
【００１７】
請求項１に記載の発明は、複数の棚と最下段に低温室を配置した冷蔵室内を照射する照明装置として、可視光線領域内の波長を発光する発光ダイオードを複数個実装した実装基板を複数個接続したものを前記冷蔵室内の側壁面の少なくとも一方に配設したもので、前記実装基板のうち、発光ダイオードの実装数が少ない実装基板を上方向に角度を設けて配設し、他の発光ダイオードの実装数が多い実装基板を下方向に角度を設けて配設されたもので、前記実装基板は、冷蔵庫内の上下方向に対して角度を設けて配設することにより、冷蔵庫内の上部および下部まで光を照射することができるので、冷蔵庫の上部および下部の保存物の視認性を向上することができる。
【００２０】
また、本発明は、冷蔵庫内を照射する照明装置として、可視光線領域内の波長を発光する発光ダイオードを複数個実装した実装基板を複数個接続したものを前記冷蔵庫内の側壁面の少なくとも一方に配設したともので、前記実装基板のうち、少なくとも１つを上方向に角度を設けて配設し、他の前記実装基板のうち少なくとも１つを下方向に角度を設けて配設することにより、冷蔵庫内の上部および下部まで光を照射することができるので、冷蔵庫の上部および下部の保存物の視認性を向上することができる。
【００２４】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２５】
（実施の形態１）
以下、本発明の実施の形態１を図１から図５に基づいて説明する。図１は本発明の実施の形態１における冷蔵庫の扉を開けた状態の正面図、図２は同実施の形態における図１のＢ−Ｂ断面図、図３は同実施の形態における発光ダイオードの指向特性図、図４は同実施の形態における照明装置の要部縦断面図、図５は同実施の形態における照明装置の要部横断面図である。
【００２６】
図１、図２において、断熱材で周囲と断熱して構成されている冷蔵庫本体１０は、複数の区画に区分されて貯蔵室を形成しており、最上部は、冷蔵室１１であり、その直下に製氷室１２と第１の冷凍室１３を横並びで配置され、つづいて野菜室１５が配置され、最下段には第２の冷凍室１４が配置される構成となっている。
【００２７】
冷蔵室１１は、保存物を重ならず整理して保存するための複数の収納棚１７を設け、保存物を効率良く収納できるように設定された任意の間隔で配設されている。最下段には、特定低温室１６が設けられている。
【００２８】
照明装置２０は、冷蔵庫庫内の扉開放側前面から見て、庫内１１の奥行寸法の１／２より手前（収納棚１７の先端より手前）の左側壁面と右側壁面にそれぞれ縦方向に配設されている。照明装置２０においては、第１の実装基板１ａと第２の実装基板１ｂが、基板接続部２１により接続されている。
【００２９】
図３は、発光ダイオード２の光の照射方向に関する指向性を示したグラフである。照射方向を垂直方向とすると照射される範囲は線内であり、たとえば照射量１／２では照射角は、Ｄの如く左右各３０°である。
【００３０】
図４において、照明装置２０について詳細に説明する。
【００３１】
実装基板１ａおよび実装基板１ｂは平板状で、一面または両面に回路パターン（図示せず）が形成され、熱伝導性の良好なエポキシ樹脂系の基板や絶縁金属基板を使用される。発光ダイオード２は砲弾状に形成され、ＧａＮ系の青色ＬＥＤからの青色光を用いて蛍光材を励起して白色光を得る構造で、電流を通電する２本の通電端子３が導出される。断熱板４は、ウレタン等の樹脂により平板状に形成され、複数の挿通孔が並設されて、実装基板１ａおよび実装基板１ｂと、発光ダイオード２との間に設けられる。ここで、発光ダイオード２は通電端子３が断熱板４の挿通孔に挿通され、実装基板１ａおよび実装基板１ｂの回路パターンに半田付けされて実装され、縦方向に複数個が実装基板１ａおよび実装基板１ｂに並設される。尚、発光ダイオード２の発熱量が少ない場合には、断熱板４は廃止しても構わない。基板接続部２１はリード線２４により構成され、リード線２４の片側は実装基板１ａに、もう片側は実装基板１ｂに半田付けされている。尚、基板接続部２１は、樹脂を使用したコネクタにより構成されていても構わない。
【００３２】
次に縦方向に複数個の発光ダイオード２が実装された実装基板１ａおよび実装基板１ｂは、冷蔵庫側壁８内に設けられた凹部５に外枠９と一体成型されたスペーサー６によって保持されている。スペーサー６は基板の上部と下部で長さが異なるものとし、実装基板１ａは角度Ａだけ下側に角度を設けて配設され、実装基板１ｂは角度Ｂだけ上側に角度を設けて配設されている。この角度Ａおよび角度Ｂは発光ダイオード２の指向性により、庫内を上下方向について満遍なく照射できるように設定された任意の値であり、冷蔵庫庫内の容積と照明装置２０の配設位置、使用する発光ダイオード２によって決められる。発光ダイオード２の発光部から一定の距離をおいて、ランプカバー７が発光ダイオード２の発光部全体を覆うように冷蔵庫庫内左右壁面に照明装置２０として配設されている。
【００３３】
図５において、実装基板１、白色ＬＥＤである発光ダイオード２は、庫内１１の内壁面１６に対し、角度Ｃをなしてスペーサー６によって保持されており、この角度Ｃは発光ダイオード２の指向性により、庫内を満遍なく照射できるように設定された任意の値であり、冷蔵庫庫内の容積と使用する発光ダイオードによって決められるが、最も光が届きにくい庫内の背面方向に配光されるように設定されている。この角度Ｃとしては、３０°から６０°の間が望ましい。特に砲弾型の発光ダイオードを使用する場合は、３０°近傍とする。
【００３４】
以上のように構成された冷蔵庫について、以下その動作、作用を説明する。
【００３５】
まず、冷蔵庫の扉が閉まっている時には、発光ダイオード２への通電は行なわず、庫内は照射されていない。扉が開けられると、発光ダイオード２に順方向電流が流れて、白色光が発光される。ここまでは従来例と同様の動作である。
【００３６】
次に、発光ダイオード２から発光された白色光は、ランプカバー７に進光して、庫内に照射される。冷蔵庫庫内左右壁面の前面側から、発光ダイオードの指向性により設定された照射角度により、庫内背面方向に対して強調された白色光が保存物の前面及び側面に配光されるとともに、上下方向に対して強調された白色光が保存物の前面及び側面に配光される。
【００３７】
以上のように、本実施の形態においては、照明装置において実装基板１ａと実装基板１ｂを角度Ａおよび角度Ｂだけ角度を設けて配設したことにより、より広い範囲で発光ダイオード２よりの光を照射するので、特に上下方向により広い範囲を照射する照明装置を実現でき、冷蔵庫の大きさに関わらず、保存物の視認性を向上することができる。
【産業上の利用可能性】
【００３８】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００３９】
【図１】本発明の実施の形態１における冷蔵庫の扉を開けた状態の正面図
【図２】同実施の形態における図１のＢ−Ｂ断面図
【図３】同実施の形態における発光ダイオードの指向特性図
【図４】同実施の形態における照明装置の要部縦断面図
【図５】同実施の形態における照明装置の要部横断面図
【図６】従来の製氷機の照明装置の斜視図
【図７】図６の照明装置を製氷機の庫内天面に設置した概念図
【符号の説明】
【００４０】
１    実装基板
１ａ  第１の実装基板
１ｂ  第２の実装基板
２    発光ダイオード
８    冷蔵庫側壁
１０  冷蔵庫本体
２０  照明装置
Ａ    角度
Ｂ    角度
Ｃ    角度
【図１】
0005104387.tif 000002
【図２】
0005104387.tif 000003
【図４】
0005104387.tif 000004
【図５】
0005104387.tif 000005
【図３】
0005104387.tif 000006
【図６】
0005104387.tif 000007
【図７】
0005104387.tif 000008